(57)【要約】【課題】既設の窓サッシ枠の開口よりも新設の窓サッシ枠の開口が小さくなることを抑制することのできる建物の窓構造を提供する。【解決手段】建物において既設の窓サッシ枠の上枠部材４１，下枠部材４２よりも屋外側に断熱性の新設の窓サッシ枠における上枠部材７１，下枠部材７２がそれぞれ配置されている。既設の窓サッシ枠における開口の縦幅ｈ２よりも新設の窓サッシ枠における開口の縦幅ｈ１が広くされている。既設の窓サッシ枠における上枠部材４１，下枠部材４２をそれぞれ覆う断熱性の上サッシカバー５１，下サッシカバー５２が設けられ、上サッシカバー５１，下サッシカバー５２は新設の窓サッシ枠における上枠部材７１，下枠部材７２とそれぞれ繋がっている。【選択図】      図１
2010203173.tif 000002
【特許請求の範囲】
【請求項１】
建物において既設の窓サッシ枠よりも屋外側かつ前記建物の外壁の表面よりも屋外側に断熱性の新設の窓サッシ枠が配置され、
前記既設の窓サッシ枠を覆う断熱部材が設けられ、
前記断熱部材は前記断熱性の新設の窓サッシ枠と繋がっていることを特徴とする建物の窓構造。
【請求項２】
前記断熱部材は、前記既設の窓サッシ枠の屋外側の側面部を覆う部分を有していることを特徴とする請求項１に記載の建物の窓構造。
【請求項３】
前記建物の外壁内には外壁断熱材が設けられており、
前記断熱部材は、屋内外方向において前記外壁断熱材と重なる部分を有していることを特徴とする請求項１又は２に記載の建物の窓構造。
【請求項４】
前記断熱部材は前記外壁断熱材と繋がっていることを特徴とする請求項３に記載の建物の窓構造。
【請求項５】
前記断熱部材は、前記既設の窓サッシ枠を覆う断熱性のサッシカバーと、このサッシカバーの内部に設けられた柔軟性の断熱材とを含むことを特徴とする請求項１〜４のいずれか１項に記載の建物の窓構造。
【請求項６】
圧力を受けたときに前記柔軟性の断熱材よりも収縮する収縮部材が前記サッシカバーの内部に設けられていることを特徴とする請求項５に記載の建物の窓構造。
【請求項７】
前記既設の窓サッシ枠および前記新設の窓サッシ枠は、前記建物において同一の部材に取り付けられていることを特徴とする請求項１〜６のいずれか１項に記載の建物の窓構造。
【請求項８】
建物において既設の窓サッシ枠よりも屋外側に断熱性の新設の窓サッシ枠が配置され、
前記新設の窓サッシ枠に窓ガラスが設置され、
前記既設の窓サッシ枠に和室用の紙障子が設置されていることを特徴とする建物の窓構造。
【請求項９】
建物において既設の窓サッシ枠よりも屋外側かつ前記建物の外壁の表面よりも屋外側に断熱性の新設の窓サッシ枠が配置され、
前記新設の窓サッシ枠には、内部に雨水を流入させる流入口と、内部から雨水を流出させる流出口と、前記流入口から前記流出口に雨水を導く導水部とが設けられていることを  特徴とする建物の窓構造。
【発明の詳細な説明】
【技術分野】
【０００１】
本発明は、既設の窓サッシ枠を残した状態で新設の窓サッシ枠を備える建物の窓構造に関する。
【背景技術】
【０００２】
この種の窓構造において、既設の窓サッシ枠の内周に新設の窓サッシ枠を設けたものがある（例えば、特許文献１参照）。この特許文献１に記載のものは、既設の窓サッシ枠の内周面に下地材を取付け、この下地材に断熱性の新設の窓サッシ枠をビスで固定している。その結果、改修後の窓サッシ枠の断熱性を既設の窓サッシ枠よりも高くすることができる。
【先行技術文献】
【特許文献】
【０００３】
【特許文献１】特開２００２−２８５７５７号公報
【発明の概要】
【発明が解決しようとする課題】
【０００４】
ところで、特許文献１に記載のものは、既設の窓サッシ枠の内周に新設の窓サッシ枠を設けているため、既設の窓サッシ枠の開口よりも新設の窓サッシ枠の開口が小さくなる。このため、特許文献１に記載のものは、改修後の窓サッシ枠の断熱性を高くすることができるものの、窓サッシ枠の開口に関して未だ改善の余地を残すものとなっている。
【０００５】
本発明は、上記実情に鑑みてなされたものであり、既設の窓サッシ枠の開口よりも新設の窓サッシ枠の開口が小さくなることを抑制することのできる建物の窓構造を提供することを主たる目的とするものである。
【課題を解決するための手段】
【０００６】
本発明は、上記課題を解決するために、以下の手段を採用した。
【０００７】
第１の発明は、建物において既設の窓サッシ枠よりも屋外側かつ前記建物の外壁の表面よりも屋外側に断熱性の新設の窓サッシ枠が配置され、前記既設の窓サッシ枠を覆う断熱部材が設けられ、前記断熱部材は前記断熱性の新設の窓サッシ枠と繋がっていることを特徴とする。
【０００８】
第１の発明は、既設の窓サッシ枠の内周に新設の窓サッシ枠を配置する必要をなくすために、建物において既設の窓サッシ枠よりも屋外側に断熱性の新設の窓サッシ枠を配置している。このため、新設の窓サッシ枠の大きさが既設の窓サッシ枠によって制限されることを抑制することができる。その結果、既設の窓サッシ枠の開口よりも新設の窓サッシ枠の開口が小さくなることを抑制することができる。なお、断熱性の窓サッシ枠としては、外周が樹脂等の断熱材で被覆された窓サッシ枠等、いわゆる断熱窓サッシ枠を採用することができる。
【０００９】
新設の窓サッシ枠の外周に建物の外壁が存在する場合には、この外壁によって新設の窓サッシ枠の大きさが制限されることがある。
【００１０】
この点、上記構成によれば、前記新設の窓サッシ枠が前記建物の外壁の表面よりも屋外側に配置されているため、新設の窓サッシ枠の開口を自由に大きくすることができる。
【００１１】
ここで、既設の窓サッシ枠よりも屋外側や建物の外壁の表面よりも屋外側に、断熱性の新設の窓サッシ枠を配置する構造においては、既設の窓サッシ枠の内周面が新設の窓サッシ枠によって覆われないため、既設の窓サッシ枠の部分における断熱が問題となる。
【００１２】
この点、上記構成によれば、前記既設の窓サッシ枠を覆う断熱部材が設けられ、前記断熱部材が前記断熱性の新設の窓サッシ枠と繋がる構造であるため、既設の窓サッシ枠を覆う断熱部材によって新設の窓サッシ枠まで連続的に断熱することができる。その結果、既設の窓サッシ枠の開口よりも新設の窓サッシ枠の開口が小さくなることを抑制しつつ、改修後の窓サッシ枠の断熱性を向上させることができる。
【００１３】
第２の発明は、第１の発明において、前記断熱部材は、前記既設の窓サッシ枠の屋外側の側面部を覆う部分を有するといった構造により、既設の窓サッシ枠における屋外側の側面部が新設の窓サッシ枠によって覆われない場合であっても、断熱性の新設の窓サッシ枠まで断熱材が繋がるようにすることができる。
【００１４】
第３の発明は、第１又は第２の発明において、前記建物の外壁内には外壁断熱材が設けられており、前記断熱部材は、屋内外方向において前記外壁断熱材と重なる部分を有しているため、屋内外方向に直交する方向での熱の流入出を抑制することができる。
【００１５】
建物の壁面全体において屋内側と屋外側との熱の流入出は、外壁において外壁断熱材が存在しない部分や窓の部分で大きくなる。さらに、このような熱の流入出が大きい部分では、そこに接触する空気が冷却されて結露が生じるおそれがある。
【００１６】
この点、第４の発明は、第３の発明において、前記断熱部材が前記外壁断熱材と繋がっている構造であるため、新設の窓サッシ枠から外壁断熱材までを連続的に断熱することができる。その結果、新設の窓サッシ枠と外壁断熱材との間部分において熱が流入出することを抑制して、結露が生じることを抑制することができる。さらに、新設の窓サッシ枠にペアガラス等の断熱性が高い窓ガラスを設置した場合には、建物の壁面において窓を含めたその周辺の断熱性を高くすることができる。
【００１７】
第５の発明は、第１〜第４のいずれかの発明において、前記断熱部材は、前記既設の窓サッシ枠を覆う断熱性のサッシカバーと、このサッシカバーの内部に設けられた柔軟性の断熱材とを含む構造であるため、柔軟性の断熱材を既設の窓サッシ枠の形状に合わせて設けることができる。その結果、既設の窓サッシ枠との間に隙間が生じないように断熱材を設けることが容易となる。さらに、柔軟性の断熱材はサッシカバーの内部に設けられているため、サッシカバーによって外形を整えることかできる。なお、柔軟性の断熱材としては、発泡樹脂材料からなる断熱材や綿状の断熱材等を採用することができる。
【００１８】
サッシカバーの内部に柔軟性の断熱材が充填された構造では、サッシカバーの内部に断熱材を充填する際や気温の上昇によって断熱材が膨張すると、サッシカバーが変形したり損傷したりするおそれがある。
【００１９】
この点、第６の発明は、第５の発明において、圧力を受けたときに前記柔軟性の断熱材よりも収縮する収縮部材が前記サッシカバーの内部に設けられているため、柔軟性の断熱材が膨張したときに収縮部材が収縮して断熱材の膨張を吸収することができる。その結果、サッシカバーが変形したり損傷したりすることを抑制することができる。なお、収縮部材としては、ゴムなどの弾性材料からなるチューブや発泡樹脂材料からなるシート等を採用することができる。
【００２０】
第７の発明は、第１〜第６のいずれかの発明において、前記既設の窓サッシ枠および前記新設の窓サッシ枠が、前記建物において同一の部材に取り付けられる構造であるため、新設の窓サッシ枠が取り付けられている部分の強度を既設の窓サッシ枠と同等に維持することができる。これにより、新設の窓サッシ枠の防犯性が低下することを抑制することができるため、ＣＰ（crime prevention）対応製品の認定を受けることも可能となる。
【００２１】
第８の発明は、建物において既設の窓サッシ枠よりも屋外側に断熱性の新設の窓サッシ枠が配置され、前記新設の窓サッシ枠に窓ガラスが設置され、前記既設の窓サッシ枠に和室用の紙障子が設置されていることを特徴とする。
【００２２】
上記構成によれば、既設の窓サッシ枠を利用して容易に和室へ改修することができる。
【００２３】
建物において既設の窓サッシ枠よりも屋外側に新設の窓サッシ枠を配置して、外壁よりも屋外側へ新設の窓サッシ枠が張り出した場合には、建物の外壁を伝う雨水が新設の窓サッシ枠の上部へ流れ落ちることとなる。これに対して、外壁と新設の窓サッシ枠との間をシールしようとすると、外壁の表面は一般的に平坦ではないため、これらの間をシールすることは必ずしも容易ではない。したがって、新設の窓サッシ枠の上部へ流れ落ちる雨水の排出が問題となる。
【００２４】
この点、第９の発明は、建物において既設の窓サッシ枠よりも屋外側かつ前記建物の外壁の表面よりも屋外側に断熱性の新設の窓サッシ枠が配置され、前記新設の窓サッシ枠には、内部に雨水を流入させる流入口と、内部から雨水を流出させる流出口と、前記流入口から前記流出口に雨水を導く導水部とが設けられていることを特徴とする。
【００２５】
上記構成によれば、新設の窓サッシ枠の内部に流入口から流入した雨水を導水部によって流出口に導くことができる。その結果、外壁の表面が平坦でない場合であっても、新設の窓サッシ枠の上部へ流れ落ちる雨水を円滑に排出することができる。
【図面の簡単な説明】
【００２６】
【図１】建物の窓構造を示す縦断面図。
【図２】建物の窓構造を示す横断面図。
【図３】窓サッシ枠の変形例を示す縦断面図。
【発明を実施するための形態】
【００２７】
以下、建物の窓構造の一実施形態について、図面を参照しつつ説明する。なお、図１は建物の窓構造の上端付近および下端付近を示しており、図２は建物の屋内側から見た窓構造の右端付近を示している。窓構造の左端付近は右端付近と対称の構造を備えている。
【００２８】
図１，２に示すように、建物の外壁は複数の外壁パネル１０からなる。外壁パネル１０は、外面材１１とその裏面側の下地フレーム２１，２２，２３とを備える。外面材１１はコンクリートやセラミックによって板状に形成されており、下地フレーム２１，２２，２３は溝形鋼からなる。
【００２９】
建物の窓としての開口部９０では、外壁パネル１０の下地フレーム２１，２２，２３が、開口部９０の周縁を囲むように設けられている。下地フレーム２１，２２，２３は、開口部９０の中央側の端部にウェブ２１ａ，２２ａ，２３ａを備え、屋外側の端部にフランジ２１ｂ，２２ｂ，２３ｂを備えている。窓の上枠および下枠において、フランジ２１ｂ，２２ｂは外壁パネル１０よりも開口部９０の中央側へ突出している。窓の右枠において、ウェブ２３ａにサッシ枠下地材２４及びブラケット２５が取り付けられている。なお、ウェブ２３ａ、サッシ枠下地材２４及びブラケット２５は、ボルト２６及びナット２７によって共締めされている。
【００３０】
外壁パネル１０の下地フレーム２１，２２，２３には、外壁断熱材１２が取り付けられている。外壁断熱材１２は、外壁パネル１０の全面にわたって設けられている。なお、外壁断熱材１２としては、グラスウールや板状に形成されたポリウレタン等を採用することができる。
【００３１】
外壁断熱材１２の屋内側には、屋内の内壁を構成する石膏ボード等の内面材１３が取り付けられている。内面材１３は、角形の木材からなる下地材１４に取り付けられている。内面材１３の表面にはクロスが設けられている。
【００３２】
外壁断熱材１２における開口部９０の中央側の端部を覆うように額縁３１，３２が設けられている。額縁３１，３２は、板状の木材からなり、外壁断熱材１２と接している。なお、額縁３１，３２を断熱部材とみなすこともできる。
【００３３】
建物には既設の窓サッシ枠の上枠部材４１、下枠部材４２、及び右枠部材４５（図示しない左枠部材も同様）が残った状態とされている。すなわち、窓サッシ枠の改修前から建物に設置されていた窓サッシ枠（既設の窓サッシ枠）が、窓サッシ枠の改修後においても建物に残った状態とされている。このため、既設の窓サッシ枠を取り外す手間を省くことができる。既設の窓サッシ枠は、アルミ合金等からなる金属製の窓サッシ枠であり、断熱窓サッシ枠ではない通常の窓サッシ枠である。
【００３４】
既設の窓サッシ枠は、窓サッシ戸を水平方向に案内する窓サッシレール、又は窓サッシ戸の左右の端部に当接する窓サッシガイドを備え、外壁を構成する部材又は外壁を構成する部材に一体化された部材に取り付けられている。具体的には、上枠部材４１，下枠部材４２は窓サッシ戸を水平方向に案内する窓サッシレール４１ｒ，４２ｒをそれぞれ備え、右枠部材４５は窓サッシ戸の右端部に当接する窓サッシガイド４５ｇを備えている。そして、開口部９０の上部および下部において、外壁パネル１０の下地フレーム２１，２２（外壁を構成する部材）に上枠部材４１，下枠部材４２がそれぞれ取り付けられ、開口部９０の右部において、下地フレーム２３に連結されたサッシ枠下地材２４及びブラケット２５（外壁を構成する部材に一体化された部材）に右枠部材４５が取り付けられている。
【００３５】
上枠部材４１，下枠部材４２，右枠部材４５は、それぞれ開口部９０の周縁に沿って延びるように配置されている。上枠部材４１，下枠部材４２，右枠部材４５は、下地フレーム２１，２２、又は下地フレーム２３に連結されたサッシ枠下地材２４及びブラケット２５の形状に合わせて屈曲され、枠部材４１，４２，４５の下地となるこれらの部材における開口部９０の中央側および屋外側の２面に対向する部分を有している。具体的には、上枠部材４１は、下地フレーム２１のウェブ２１ａに対向する上面部４１ｂ及びサッシレール部分から屋内側への張出し部４１ｃと、下地フレーム２１のフランジ２１ｂに対向する側面部４１ａとを備えている。下枠部材４２は、下地フレーム２２のウェブ２２ａに対向する下面部４２ｂ及びサッシレール部分から屋内側への張出し部４２ｃと、下地フレーム２２のフランジ２２ｂに対向する側面部４２ａとを備えている。右枠部材４５は、ブラケット２５における開口部９０の中央側の側面部２５ａに対向する側面部４５ｂと、サッシ枠下地材２４の屋外側の側面部２４ｂに対向する側面部４５ａとを備えている。そして、これらの対向する部分がビスによって適宜締結されている。
【００３６】
なお、上枠部材４１，下枠部材４２，右枠部材４５は窓サッシ枠を改修する前から建物に取り付けられており、これらを締結するビス４３ａ，４３ｂ，４４ａ，４６ｂは改修に際して取り外されていない。また、窓サッシ枠の改修前において、上枠部材４１の屋内側への張出し部４１ｃ，下枠部材４２の屋内側への張出し部４２ｃ，右枠部材４５の屋外側の側面部４５ａ及び屋内側への張出し部４５ｃにそれぞれビスがねじ込まれていたが、改修に際して取り外されてビス４３ｃ，４４ｂ，４６ａ，４６ｃがねじ込まれている。
【００３７】
窓サッシ枠の改修前には、このような構造を備える既設の窓サッシ枠に、アルミ合金等からなる金属製の窓サッシ障子及びシングルガラスを有する窓サッシ戸が設置されている。金属製の窓サッシ障子は、断熱窓サッシ障子ではない通常の窓サッシ障子である。
【００３８】
以上が窓サッシ枠の改修前の構造であり、窓サッシ枠の改修に伴って、既設の窓サッシ枠の窓サッシレール４１ｒ，４２ｒ又は窓サッシガイド４５ｇを覆うように、断熱性のサッシカバーが設けられている。すなわち、窓サッシ枠の改修後に、これらの窓サッシレール４１ｒ，４２ｒ又は窓サッシガイド４５ｇが露出しないようにサッシカバーが設けられている。断熱性のサッシカバーは、例えば樹脂の断熱層を有するものであり、樹脂製のサッシカバーを採用してもよく、金属性のサッシカバーに樹脂層を被覆してもよい。なお、右枠部材４５を覆う断熱性のサッシカバーは、断熱性の新設の右枠部材７５の一部として設けられている。
【００３９】
既設の窓サッシ枠の上枠部材４１を覆う上サッシカバー５１、下枠部材４２を覆う下サッシカバー５２、及び既設の右枠部材４５を覆う新設の右枠部材７５は、窓サッシレール４１ｒ，４２ｒ又は窓サッシガイド４５ｇを覆う部分の他に、これらの枠部材４１，４２，４５を取り付けるための張出し部４１ｃ，４２ｃ，４５ｃをそれぞれ覆うように屋内側
へ延長された延長部５１ｂ，５２ｂ，７５ｅを備えている。また、上サッシカバー５１、下サッシカバー５２、及び新設の右枠部材７５は、これらの枠部材４１，４２，４５の屋外側の側面部４１ａ，４２ａ，４５ａをそれぞれ覆う屋外側の側面部５１ｃ，５２ｃ，７５ｆを備えている。延長部５１ｂ，５２ｂ，７５ｅは、それぞれ額縁３１又は額縁３２を挟んで外壁断熱材１２と対向している。このため、建物の屋内外方向において、断熱性のサッシカバー５１，５２及び右枠部材７５と外壁断熱材１２とが重なる部分が形成されており、開口部９０の中央側と周縁側とを結ぶ方向（屋内外方向に直交する方向）での熱の流入出を抑制することができる。
【００４０】
サッシカバー５１，５２の屋外側の側面部５１ｃ，５２ｃからは、建物の屋内側へ延びるように上面部５１ｄ，下面部５２ｄが設けられている。これらの上面部５１ｄ，下面部５２ｄによって、上枠部材４１の上端，下枠部材４２の下端がそれぞれ覆われている。サッシカバー５１，５２の上面部５１ｄ，下面部５２ｄは、外壁パネル１０の外面材１１と枠部材４１，４２との隙間にそれぞれ挿入されている。このため、サッシカバー５１，５２に開口部９０の中央側へ押す力が作用した場合には、枠部材４１，４２によって受け止めることができる。
【００４１】
枠部材４１，４２とサッシカバー５１，５２とのそれぞれの間、及び既設の右枠部材４５と新設の右枠部材７５との間に、閉じた空間がそれぞれ形成されている。サッシカバー５１，５２及び新設の右枠部材７５には、これらの閉じた空間に通じる貫通孔５９がそれぞれ形成されている。貫通孔５９は、サッシカバー５１，５２及び右枠部材７５内にそれぞれ柔軟性の断熱材としての発泡ウレタン樹脂を注入するための注入口として用いられる。このため、貫通孔５９は発泡ウレタン樹脂を注入可能な大きさで形成されており、それぞれの内部に発泡ウレタン樹脂を偏りなく充填することのできる位置に形成されている。
【００４２】
サッシカバー５１，５２及び新設の右枠部材７５内には、圧力を受けたときに上記発泡ウレタン樹脂よりも収縮する収縮部材が設けられている。具体的には、サッシカバー５１，５２内にはゴム製のチューブ６３が設けられ、右枠部材７５内には発泡樹脂材料からなるシート６４が設けられている。チューブ６３は円筒状に形成されており、サッシカバー５１，５２の長手方向に沿って延びるように配置されている。シート６４は矩形板状に形成されており、右枠部材７５の長手方向に沿って延びるように配置されている。シート６４は既設の右枠部材４５に接着されている。
【００４３】
サッシカバー５１，５２及び右枠部材７５内には貫通孔５９を通じて注入された発泡ウレタン樹脂からなるカバー内断熱材６１，６２，６５がそれぞれ充填されている。このような柔軟性の断熱材によれば、枠部材４１，４２，４５を断熱材によってそれぞれ覆う場合に、これらの枠部材４１，４２，４５が窓サッシレール４１ｒ，４２ｒ又は窓サッシガイド４５ｇ等を含んで入り組んだ形状になっていても、隙間が生じないようにカバー内断熱材６１，６２，６５を設けることができる。枠部材４１，４２内の断熱材６１，６２は、枠部材４１，４２の張出し部４１ｃ，４２ｃをそれぞれ覆っている。そして、断熱材６１，６２は、それぞれ額縁３１，３２を挟んで外壁断熱材１２と対向している。このため、建物の屋内外方向において、外壁断熱材１２と断熱材６１，６２とが重なる部分が形成されており、開口部９０の中央側と周縁側とを結ぶ方向（屋内外方向に直交する方向）での熱の流入出を抑制することができる。
【００４４】
サッシカバー５１，５２，及び新設の右枠部材７５内に充填される断熱材６１，６２，６５の体積が増加するに伴ってこれらの断熱材６１，６２，６５が膨張した場合には、チューブ６３，シート６４が収縮することにより断熱材６１，６２，６５の膨張が吸収される。また、気温の上昇によりこれらの断熱材６１，６２，６５が膨張した場合にも、チューブ６３，シート６４が収縮することにより断熱材６１，６２，６５の膨張が吸収される。
【００４５】
なお、窓サッシ枠の改修前において枠部材４１，４２，４５の張出し部４１ｃ，４２ｃ，４５ｃに形成されていたねじ孔にビス４３ｃ，４４ｂ，４６ｃがそれぞれ挿入されている。このため、これらのビスを挿入するためのねじ孔を、枠部材４１，４２，４５に新たに形成する必要がないとともに、既設の窓サッシ枠と同様に張出し部４１ｃ，４２ｃ，４５ｃを固定することができる。
【００４６】
そして、既設の窓サッシ枠の内周に新設の窓サッシ枠を配置する必要をなくすために、既設の窓サッシ枠よりも屋外側に、樹脂の断熱層を有する新設の窓サッシ枠（窓サッシ枠の改修後に設置された窓サッシ枠）が配置されている。このため、新設の窓サッシ枠の開口が既設の窓サッシ枠の開口よりも小さくなることを抑制することができる。
【００４７】
具体的には、既設の窓サッシ枠の枠部材４１，４２，４５よりも屋外側に、新設の窓サッシ枠の上枠部材７１と、下枠部材７２と、右枠部材７５のうちサッシカバーに相当する部分以外の部分とがそれぞれ配置されている。換言すれば、既設の枠部材４１，４２の窓サッシレール４１ｒ，４２ｒ、右枠部材４５の窓サッシガイド４５ｇよりも屋外側に、新設の枠部材７１，７２の窓サッシレール７１ｒ，７２ｒ、右枠部材７５の窓サッシガイド７５ｇがそれぞれ配置されている。これらの新設の枠部材７１，７２，７５は、既設の枠部材４１，４２，４５の長手方向と同一方向にそれぞれ延びるように配置されている。
【００４８】
さらに、新設の窓サッシ枠の外周に外壁が存在しないようにするために、外壁パネル１０の外面材１１よりも屋外側に、新設の枠部材７１，７２の窓サッシレール７１ｒ，７２ｒ、右枠部材７５の窓サッシガイド７５ｇがそれぞれ配置されている。そして、新設の上枠部材７１が既設の上枠部材４１よりも上方に配置され、新設の下枠部材７２が既設の下枠部材４２よりも下方に配置されることにより、新設の窓サッシ枠の開口が既設の窓サッシ枠の開口よりも大きくされている。なお、この場合には、既設の枠部材４１，４２の窓サッシレール７１ｒ，７２ｒが新設の枠部材７１，７２によって覆われないため、上述したように既設の枠部材４１，４２を覆うサッシカバー５１，５２やカバー内断熱材６１，６２が設けられている。
【００４９】
ここでは、新設の窓サッシ枠における開口の縦幅ｈ１が既設の窓サッシ枠における開口の縦幅ｈ２よりも広くされ、新設の窓サッシ枠における開口の横幅は既設の窓サッシ枠における開口の横幅と等しくされている。開口の幅は、窓サッシ枠の互いに対向する枠部材において、窓サッシレール及び窓サッシガイドを除く対向する面間の距離を基準としている。なお、新設の上枠部材７１と既設の上枠部材４１、及び新設の下枠部材７２と既設の下枠部材４２は、屋内外方向および上下方向で一部重なっているが、互いに干渉しないように上下方向および屋内外方向にずらすことにより両者を配置可能である。
【００５０】
新設の窓サッシ枠は、外壁を構成する部材、又は外壁を構成する部材に一体化された部材に取り付けられている。このため、新設の窓サッシ枠が既設の窓サッシ枠に取り付けられる構造と比較して取り付け部の強度を高くすることができる。具体的には、上枠部材７１，下枠部材７２はビス４３ｄ，４４ｄによって外壁パネル１０の下地フレーム２１，２２（外壁を構成する部材）にそれぞれ取り付けられ、右枠部材７５は外壁パネル１０の下地フレーム２３に連結されたサッシ枠下地材２４（外壁を構成する部材に一体化された部材）にビス４６ａによって取り付けられている。ここで、下地フレーム２１，２２及びサッシ枠下地材２４は既設の窓サッシ枠が取り付けられている部材のため、取り付け部の強度を既設の窓サッシ枠と同等に維持することができる。すなわち、既設の枠部材４１，４２，４５及び新設の枠部材７１，７２，７５は、建物において同一の部材にそれぞれ取り付けられている。
【００５１】
新設の枠部材７１，７２は、既設の枠部材４１，４２の屋外側の側面部４１ａ，４２ａを覆うサッシカバー５１，５２の側面部５１ｃ，５２ｃにそれぞれ当接している。換言すれば、これらのサッシカバー５１，５２の側面部５１ｃ，５２ｃは、新設の枠部材７１，７２に当接するように延長されている。このため、新設の枠部材７１，７２には、断熱部材としてのサッシカバー５１，５２が繋がっている。また、新設の右枠部材７５は、窓サッシガイド７５ｇを含む部分とサッシカバーに相当する部分とが一体に形成されている。これらの構造により、既設の枠部材４１，４２，４５を覆う断熱部材としてのサッシカバー５１，５２及び右枠部材７５のうちサッシカバーに相当する部分は、新設の枠部材７１，７２及び右枠部材７５のうち窓サッシガイド７５ｇを含む部分とそれぞれ繋がっていることとなる。
【００５２】
上述したように、サッシカバー５１，５２及び右枠部材７５は、外壁断熱材１２と対向する延長部５１ｂ，５２ｂ，７５ｅをそれぞれ備えている。このため、屋内外方向において、新設の枠部材７１，７２及び右枠部材７５のうち窓サッシガイド７５ｇを含む部分から外壁断熱材１２まで断熱材が連続することとなる。換言すれば、サッシカバー５１，５２及び右枠部材７５は、額縁３１，３２を介して外壁断熱材１２と連続している。なお、額縁３１，３２も断熱部材とみなすことができるならば、新設の枠部材７１，７２及び右枠部材７５のうち窓サッシガイド７５ｇを含む部分から外壁断熱材１２まで断熱材が繋がっているとみなすことができる。その場合には、新設の枠部材７１，７２及び右枠部材７５のうち窓サッシガイド７５ｇを含む部分から外壁断熱材１２までを連続的に断熱することができる。また、サッシカバー５１，５２及び右枠部材７５と外壁断熱材１２とのそれぞれの間部分において熱が流入出することを抑制することができる。
【００５３】
さらに、サッシカバー５１，５２及び新設の右枠部材７５内には、カバー内断熱材６１，６２，６５がそれぞれ充填されている。このため、サッシカバー５１，５２及び右枠部材７５のうちサッシカバーに相当する部分の内部ではカバー内断熱材６１，６２，６５が繋がっている。このため、既設の枠部材４１，４２，４５を覆うカバー内断熱材６１，６２，６５は、サッシカバー５１，５２及び新設の右枠部材７５を介して、新設の枠部材７１，７２及び右枠部材７５のうち窓サッシガイド７５ｇを含む部分とそれぞれ繋がっていることとなる。
【００５４】
断熱材６１，６２は、外壁断熱材１２と対向する部分をそれぞれ備えている。このため、屋内外方向において、新設の枠部材７１，７２及び右枠部材７５のうち窓サッシガイド７５ｇを含む部分から外壁断熱材１２まで断熱材が連続することとなる。換言すれば、断熱材６１，６２は、額縁３１，３２を介して外壁断熱材１２と連続している。なお、額縁３１，３２も断熱部材とみなすことができるならば、新設の枠部材７１，７２及び右枠部材７５のうち窓サッシガイド７５ｇを含む部分から外壁断熱材１２まで、カバー内断熱材６１，６２，６５を含む断熱材がそれぞれ繋がっているとみなすことができる。
【００５５】
枠部材７１，７２，７５の屋外側の端部には開口７１ｄ，７２ｄ，７５ｄがそれぞれ設けられている。これらの開口７１ｄ，７２ｄ，７５ｄからビス４３ｄ，４４ｄ，４６ａがそれぞれ挿入されてねじ込まれた後に、これらの開口７１ｄ，７２ｄ，７５ｄにはキャップ７３，７４，７６がそれぞれ設けられている。なお、ビス４３ｄ，４４ｄ，４６ａは、開口７１ｄ，７２ｄ，７５ｄからそれぞれ離間した位置においてねじ込まれているため、防犯性の点からビス４３ｄ，４４ｄ，４６ａを取り外しにくくすることもできる。
【００５６】
新設の上枠部材７１の上端には、上枠部材７１と外壁パネル１０の外面材１１との間をシールするシール部材８１が設けられている。シール部材８１は、上枠部材７１の長手方向に延びるように設けられている。このため、外面材１１を伝う雨水が上枠部材７１と外面材１１との隙間から浸入することを抑制することができる。
【００５７】
また、窓構造の左端付近は右端付近と対称の構造を備えている。
【００５８】
このような構造を備える新設の窓サッシ枠に、ペアガラス及び樹脂サッシ障子を有する断熱性の窓サッシ戸９２，９４が設置される。このため、新設の枠部材７１，７２及び右枠部材７５に繋がるように、断熱性の窓サッシ戸９２，９４が設けられている。したがって、建物の壁面において窓を含めたその周辺の断熱性を高くすることができる。
【００５９】
以上詳述した本実施形態の構成によれば、以下の優れた効果が得られる。
【００６０】
既設の窓サッシ枠の内周に新設の窓サッシ枠を配置する必要をなくすために、建物において既設の窓サッシ枠の枠部材４１，４２及び右枠部材４５のうち窓サッシガイド４５ｇを含む部分よりも屋外側に、断熱性の新設の窓サッシ枠における枠部材７１，７２及び右枠部材７５のうち窓サッシガイド７５ｇを含む部分をそれぞれ配置している。このため、新設の窓サッシ枠の大きさが既設の窓サッシ枠によって制限されることを抑制することができる。具体的には、新設の窓サッシ枠における開口の縦幅ｈ１を、既設の窓サッシ枠における開口の縦幅ｈ２よりも広くすることができる。
【００６１】
新設の窓サッシ枠の外周に建物の外壁が存在する場合には、この外壁によって新設の窓サッシ枠の大きさが制限されることがある。
【００６２】
この点、新設の窓サッシ枠の上枠部材７１，下枠部材７２が建物の外壁パネル１０の表面よりも屋外側に配置される構造であるため、新設の窓サッシ枠における開口の縦幅ｈ１を自由に広くすることができる。
【００６３】
ここで、外壁パネル１０の外面材１１よりも屋外側に断熱性の新設の窓サッシ枠における枠部材７１，７２をそれぞれ配置する構造においては、既設の枠部材４１，４２の窓サッシレール４１ｒ，４２ｒが新設の枠部材７１，７２によって覆われないため、既設の枠部材４１，４２の窓サッシレール４１ｒ，４２ｒの周辺における断熱が問題となる。
【００６４】
この点、既設の窓サッシ枠の枠部材４１，４２をそれぞれ覆う断熱性のサッシカバー５１，５２がそれぞれ設けられ、サッシカバー５１，５２は断熱性の新設の窓サッシ枠における枠部材７１，７２とそれぞれ繋がっているため、既設の枠部材４１，４２をそれぞれ覆うサッシカバー５１，５２によって新設の枠部材７１，７２まで連続的に断熱することができる。その結果、既設の窓サッシ枠における開口の縦幅ｈ２よりも新設の窓サッシ枠における開口の縦幅ｈ１が狭くなることを抑制しつつ、改修後の窓サッシ枠の断熱性を向上させることができる。このように窓サッシ枠の断熱性が向上することにより結露が生じることを抑制することができる。また、断熱性の新設の右枠部材７５は、窓サッシガイド７５ｇを含む部分とサッシカバーに相当する部分とが一体に形成されているため、同様にして窓サッシ枠の断熱性を向上させることができる。
【００６５】
さらに、サッシカバー５１，５２及び右枠部材７５のうちサッシカバーに相当する部分の内部にカバー内断熱材６１，６２，６５がそれぞれ充填され、サッシカバー５１，５２及び右枠部材７５のうちサッシカバーに相当する部分の内部ではカバー内断熱材６１，６２，６５が繋がっている。このため、これらのカバー内断熱材６１，６２，６５によっても、新設の枠部材７１，７２及び右枠部材７５のうち窓サッシガイド７５ｇを含む部分まで連続的に断熱することができる。
【００６６】
ところで、新設の窓サッシ枠における開口の縦幅ｈ１が既設の窓サッシ枠における開口の縦幅ｈ２よりも広くなるように配置したため、既設の窓サッシ枠の枠部材４１，４２における屋外側の側面部４１ａ，４２ａが新設の枠部材７１，７２によって覆われなくなる。このように既設の枠部材４１，４２の露出した部分が残った場合には、その部分で断熱材が途切れて窓サッシ枠の断熱性が低下するおそれがある。
【００６７】
この点、サッシカバー５１，５２が、既設の枠部材４１，４２の屋外側の側面部４１ａ，４２ａを覆う側面部５１ｃ，５２ｃをそれぞれ有することにより、新設の枠部材７１，７２まで断熱部材としてのサッシカバー５１，５２が繋がるようにすることができる。また、カバー内断熱材６１，６２が、既設の枠部材４１，４２における屋外側の側面部４１ａ，４２ａを覆う部分をそれぞれ有することにより、カバー内断熱材６１，６２がサッシカバー５１，５２を介して新設の枠部材７１，７２まで繋がるようにすることができる。
【００６８】
建物の外壁内には外壁断熱材１２が設けられており、サッシカバー５１，５２及びカバー内断熱材６１，６２は、屋内外方向において外壁断熱材１２と重なる部分を有しているため、屋内外方向に直交する方向での熱の流入出を抑制することができる。
【００６９】
既設の窓サッシ枠の枠部材４１，４２，４５は窓サッシレール４１ｒ，４２ｒ又は窓サッシガイド４５ｇを有するため、入り組んだ形状となっている。このため、既設の窓サッシ枠の枠部材４１，４２，４５を断熱材で覆う場合に、既設の窓サッシ枠の枠部材４１，４２，４５との間に隙間が生じないように断熱材を設けることは容易ではない。
【００７０】
この点、既設の窓サッシ枠を覆うサッシカバー５１，５２及び新設の右枠部材７５と、これらの内部に設けられた柔軟性のカバー内断熱材６１，６２，６５とを備えるため、これらの断熱材６１，６２，６５を既設の窓サッシ枠の形状に合わせて設けることができる。その結果、既設の窓サッシ枠の枠部材４１，４２，４５との間に隙間が生じないように断熱材を設けることが容易となる。さらに、柔軟性のカバー内断熱材６１，６２，６５はサッシカバー５１，５２及び新設の右枠部材７５の内部に設けられているため、サッシカバー５１，５２及び右枠部材７５によって外形を整えることかできる。
【００７１】
サッシカバー５１，５２及び新設の右枠部材７５の内部に柔軟性のカバー内断熱材６１，６２，６５が充填された構造では、これらの内部に断熱材６１，６２，６５を充填する際や気温の上昇によって断熱材６１，６２，６５が膨張した際に、サッシカバー５１，５２及び右枠部材７５が変形したり損傷したりするおそれがある。
【００７２】
この点、圧力を受けたときに柔軟性のカバー内断熱材６１，６２，６５よりも収縮するチューブ６３，シート６４がサッシカバー５１，５２及び新設の右枠部材７５の内部にそれぞれ設けられているため、サッシカバー５１，５２及び右枠部材７５の内部でカバー内断熱材６１，６２，６５が膨張したときにチューブ６３，シート６４が収縮して断熱材６１，６２，６５の膨張を吸収することができる。その結果、サッシカバー５１，５２及び新設の右枠部材７５が変形したり損傷したりすることを抑制することができる。
【００７３】
新設の窓サッシ枠が既設の窓サッシ枠に取り付けられる構造では、既設の窓サッシ枠自体の剛性がそれほど高くないため、新設の窓サッシ枠が取り付けられた部分の強度が低くなるおそれがある。  
【００７４】
この点、既設の窓サッシ枠の枠部材４１，４２，４５及び新設の窓サッシ枠の枠部材７１，７２，７５が建物においてそれぞれ同一の部材に取り付けられているため、新設の窓サッシ枠が取り付けられている部分の強度を既設の窓サッシ枠と同等に維持することができる。これにより、新設の窓サッシ枠の防犯性が低下することを抑制することができるため、ＣＰ（crime prevention）対応製品の認定を受けることも可能となる。
【００７５】
上記実施形態に限定されず、例えば次のように実施することもできる。
【００７６】
上記実施形態では、上枠部材７１と外壁パネル１０の外面材１１との間をシールするシール部材８１を設けるようした。
【００７７】
ここで、建物において既設の窓サッシ枠の上枠部材４１よりも屋外側に新設の窓サッシ枠の上枠部材７１を配置して、外壁パネル１０の外面材１１よりも屋外側へ新設の上枠部材７１が張り出した場合には、外面材１１を伝う雨水が新設の上枠部材７１の上部へ流れ落ちることとなる。これに対して、外面材１１と上枠部材７１との間をシールしようとすると、外面材１１の表面が平坦でない場合には、これらの間をシールすることは必ずしも容易ではない。したがって、新設の上枠部材７１の上部へ流れ落ちる雨水の排出が問題となる。
【００７８】
この点、図３に示すように、新設の窓サッシ枠の上枠部材１７１には、上面部１７１ａの屋内側の端部から内部に雨水を流入させる流入口７１ｅと、内部の雨水を下面部１７１ｂの屋外側の端部から流出させる流出口７１ｆと、流入口７１ｅから流出口７１ｆに雨水を導く導水板７１ｇとが設けられている。流入口７１ｅ及び流出口７１ｆは、上枠部材１７１の長手方向に延びるように設けられている。導水板７１ｇは上枠部材１７１の長手方向に延びる板状に形成されている。導水板７１ｇは、流入口７１ｅの下方に位置する屋内側の端部が、流出口７１ｆよりも屋内側且つ上方に位置する屋外側の端部よりも高くなるように配置されている。
【００７９】
このため、新設の窓サッシ枠の上枠部材１７１の内部に流入口７１ｅから流入した雨水を導水板７１ｇによって流出口７１ｆに導くことができる。その結果、外壁パネル１０の外面材１１の表面が平坦でない場合であっても、新設の窓サッシ枠の上枠部材１７１上部へ流れ落ちる雨水を円滑に排出することができる、なお、導水板７１ｇが水平に設けられる構造や、導水板７１ｇを省略して下面部１７１ｂによって雨水を導く構造であっても、流入口７１ｅから流入した雨水を流出口７１ｆに導くことができる。上枠部材１７１の上面部１７１ａにおいて屋内外方向の中間部に流入口７１ｅを設けてもよい。また、上枠部材１７１と外壁パネル１０の外面材１１との間に更にシール部材を設けてもよい。
【００８０】
上記実施形態では、サッシカバー５１，５２及び右枠部材７５内に発泡ウレタン樹脂からなる柔軟性の断熱材６１，６２，６５を注入するようにしたが、綿状の断熱材を既設の窓サッシ枠の形状に合わせて配置した後に、サッシカバー５１，５２及び右枠部材７５を取り付けるようにしてもよい。このような綿状の断熱材は柔軟性を有しているため、既設の窓サッシ枠との間に隙間が生じないように断熱材を設けることができる。また、サッシカバー５１，５２及び右枠部材７５内に柔軟性の断熱材６１，６２，６５を設けるようにしたが、柔軟性を有していない断熱材をサッシカバー５１，５２及び右枠部材７５内に設けることもできる。この場合は、断熱材を適宜分割して既設の窓サッシ枠との間に隙間が生じないように設けることが望ましい。なお、建物において結露が生じにくい位置の窓であれば、このような断熱材を省略することもできる。また、既設の窓サッシ枠を覆う断熱材の外形を整えることによって、サッシカバー５１，５２を省略することもできる。
【００８１】
さらに、サッシカバー５１，５２、カバー内断熱材６１，６２、及びチューブ６３を省略することもできる。このように既設の窓サッシ枠の枠部材４１，４２を覆わないようにすることにより、これらの枠部材４１，４２に和室用の紙障子を設置することもできる。こうした構造によれば、既設の窓サッシ枠を利用して容易に和室に改修することができる。この場合に、窓サッシ枠の左右の枠に関しては、既設の窓サッシ枠の右枠部材４５を覆う新設の右枠部材７５を設けるとともに、右枠部材において開口部９０の中央側の側面７５ａに紙障子を当接させて閉めるようにすればよい。また、窓構造の左端付近は右端付近と対称の構造を備えるようにすればよい。なお、既設の窓サッシ枠に紙障子を設けるのではなく、既設の窓サッシ戸を残しておくことにより二重窓構造とすることもできる。このような構造によれば、窓構造の防音性を高くすることができる。
【００８２】
上記実施形態では、建物の外壁パネル１０の外面材１１よりも屋外側に新設の窓サッシ枠を配置するようにしたが、既設の窓サッシ枠が開口部９０において屋内寄りに配置されている場合には、既設の窓サッシ枠よりも屋外側で外面材１１よりも屋内側に新設の窓サッシ枠を配置することもできる。この場合には、新設の窓サッシ枠の外周に建物の外壁パネル１０が存在することとなるが、既設の窓サッシ枠の内周に新設の窓サッシ枠を設ける構造と比較して、既設の窓サッシ枠の開口よりも新設の窓サッシ枠の開口が小さくなることを抑制することができる。
【００８３】
上記実施形態では、既設の窓サッシ枠における開口の縦幅ｈ２よりも新設の窓サッシ枠における開口の縦幅ｈ１を広くして、新設の窓サッシ枠における開口の横幅を既設の窓サッシ枠における開口の横幅に等しくした。これに対して、既設の窓サッシ枠における開口の横幅よりも新設の窓サッシ枠における開口の横幅を広くすることもできる。要するに、既設の窓サッシ枠の開口よりも新設の窓サッシ枠の開口が小さくなることを抑制することのできる構造であればよい。
【符号の説明】
【００８４】
４１…既設の上枠部材、４２…既設の下枠部材、５１…上サッシカバー，５２…下サッシカバー、７１…新設の上枠部材、７２…新設の下枠部材。
【図１】
2010203173.tif 000003
【図２】
2010203173.tif 000004
【図３】
2010203173.tif 000005